(57)【要約】【課題】  水中で気軽に利用することが可能な振動出力システムを提供する。【解決手段】  防水容器１１は、防水構造を有する。振動出力装置３の下方には、振動体５が露出する。振動出力装置３は、音響電気信号などの電気信号を振動に変換して振動体５を振動させる。すなわち、振動出力装置３は、振動体５を用いて振動を出力することが可能な、いわゆる振動スピーカである。振動出力装置３は、防水容器１１の内部に収容される。この際、振動体５は、防水容器１１の底面に、シリコンゲルなどの粘着剤７によって密着する。すなわち、粘着剤７は、振動体５を防水容器１１の底面に密着させて、振動出力装置３を防水容器１１に固定する固定手段として機能する。【選択図】  図１
2019193012.tif 000002
【特許請求の範囲】
【請求項１】
電気信号を振動に変換する振動体を用いて振動を出力する振動出力装置と、防水構造を有し、前記振動出力装置を収容する防水容器と、
を具備し、
前記振動出力装置が収容された前記防水容器は、全体として比重が１を超え、
前記防水容器と前記振動出力装置の少なくとも一方が、前記振動体を前記防水容器の底面に密着させて固定するための固定手段を有することを特徴とする振動出力システム。
【請求項２】
前記固定手段は、少なくとも前記防水容器と前記振動体との間に設けられる粘着剤を有することを特徴とする請求項１記載の振動出力システム。
【請求項３】
前記固定手段は、少なくとも前記振動出力装置の上部と前記防水容器との間に設けられ、前記振動出力装置を押さえる押さえ部材を有することを特徴とする請求項１または請求項２に記載の振動出力システム。
【請求項４】
前記押さえ部材は、弾性体であることを特徴とする請求項３に記載の振動出力システム。
【請求項５】
前記振動出力装置は、前記振動出力装置を操作するための操作部を備え、
前記防水容器は、前記操作部に対応する部位が、弾性部材で形成されることを特徴とする請求項１から請求項４のいずれかに記載の振動出力システム。
【請求項６】
前記振動出力装置は、前記振動出力装置を操作するための操作部を備え、
前記防水容器は、前記操作部に対応する部位が、弾性部材で形成され、
前記弾性部材と前記弾性体とが一体で構成されることを特徴とする請求項４に記載の振動出力システム。
【請求項７】
前記防水容器の下面であって、前記振動体と異なる位置に、脚部が形成され、前記脚部によって、前記防水容器の設置面と前記防水容器の下面との間に隙間を形成可能であることを特徴とする請求項１から請求項６のいずれかに記載の振動出力システム。
【発明の詳細な説明】
【技術分野】
【０００１】
本発明は、例えば浴槽などの水中で使用することが可能な振動出力システムに関するものである。
【背景技術】
【０００２】
例えば、浴槽に浸かりながら音楽等を楽しみたいという要望があり、防水が施されたスピーカが提案されている。しかし、単に浴室に防水スピーカを配置したのみでは、浴室内で音楽等を聴くことは可能であるが、使用者のより高い満足感を得ることができなかった。
【０００３】
これに対し、浴槽にも水中スピーカを取り付けた入浴時用音楽体感システムが提案されている（特許文献１）。
【先行技術文献】
【特許文献】
【０００４】
【特許文献１】特開平０８−８０２６９号公報
【発明の概要】
【発明が解決しようとする課題】
【０００５】
特許文献１の入浴時用音楽体感システムは、いわゆる水中スピーカを用いたものであり、通常のスピーカを防水性の部材の内部に封入したものである。しかし、従来の水中スピーカは、確かに水中へ音を伝えることは可能であるが、スピーカから発した音が、防水部材の内部の空気層を介して水中に振動を伝えるものであるため、水中に振動が伝わるまでに振動が大きく減衰し、実際には、水中で十分にクリアな音を発することができるものではない。
【０００６】
また、技術常識として、例えばＢｌｕｅｔｏｏｔｈ（登録商標）などの近距離無線通信は、水中には届かないため、例えば水中のわずか数十センチ程度の深さに対しても適用することができない。このため、特許文献１のように、配線が必要であり、特に、浴室や浴槽の大掛かりな工事が必要であるため気軽に実施することはできない。
【０００７】
本発明は、このような問題に鑑みてなされたもので、水中で気軽に利用することが可能な振動出力システムを提供することを目的とする。
【課題を解決するための手段】
【０００８】
前述した目的を達成するため、本発明は、電気信号を振動に変換する振動体を用いて振動を出力する振動出力装置と、防水構造を有し、前記振動出力装置を収容する防水容器と、を具備し、前記振動出力装置が収容された前記防水容器は、全体として比重が１を超え、前記防水容器と前記振動出力装置の少なくとも一方が、前記振動体を前記防水容器の底面に密着させて固定するための固定手段を有することを特徴とする振動出力システムである。
【０００９】
前記固定手段は、少なくとも前記防水容器と前記振動体との間に設けられる粘着剤を有してもよい。
【００１０】
前記固定手段は、少なくとも前記振動出力装置の上部と前記防水容器との間に設けられ、前記振動出力装置を押さえる押さえ部材を有してもよい。
【００１１】
前記押さえ部材は、弾性体であることが望ましい。
【００１２】
前記振動出力装置は、振動出力装置を操作するための操作部を備え、前記防水容器は、前記操作部に対応する部位が、弾性部材で形成されてもよい。
【００１３】
前記振動出力装置は、振動出力装置を操作するための操作部を備え、前記防水容器は、前記操作部に対応する部位が、弾性部材で形成され、前記弾性部材と前記弾性体とが一体で構成されてもよい。
【００１４】
前記防水容器の下面であって、前記振動体と異なる位置に、脚部が形成され、前記脚部によって、前記防水容器の設置面と前記防水容器の下面との間に隙間を形成可能であってもよい。
【００１５】
本発明によれば、電気信号を振動に変換する振動体を用いて振動を出力する振動出力装置を用いるため、振動体によって対象物を直接振動させることで対象物へ音を伝えることができる。すなわち、いわゆる振動スピーカが用いられるため、効率よく対象物全体から音を発生させ、対象物に接する水へも音を伝えることができる。
【００１６】
このように、浴槽全体をスピーカとして機能させることで、浴槽と接触する水へも、クリアな音を伝えることができる。このため、浴槽に入っている使用者は、体全体で音楽を楽しむことができ、高い満足感とリラックス効果を期待することができる。また、使用者は、浴槽内の水や浴槽と接触するため、例えば難聴者なども、音楽を楽しむことができる。例えば、使用者が頭を浴槽に接触させれば、頭蓋骨への骨伝導によって音を聞くことができる。
【００１７】
特に、振動出力システムは、全体として比重が１を超えるため、自重で浴槽の底面に沈降し、浴槽の底面へ振動を伝えることができる。このため、浴槽や浴室への工事は不要である。
【００１８】
なお、前述したように、例えばＢｌｕｅｔｏｏｔｈ（登録商標）などの近距離無線通信は、水中には届かないため、例えば水中のわずか数十センチ程度の深さに対しても適用することができない。しかし、振動出力システムは浴槽の底面上に配置されるため、浴槽外部からの電気信号は、浴槽の底面を介して振動出力システムへ伝わる。このため、振動出力システムには、浴槽外部の端末から音楽データを無線で送信することもできる。このため、配線等も不要である。
【００１９】
なお、効率よく振動を対象物に伝えるためには、防水容器の底面に振動出力装置を確実に密着させて固定する必要がある。この固定手段として、防水容器と振動体との間に粘着剤を設けることで、容易に振動出力装置を防水容器の底面に密着させた状態で固定することができる。
【００２０】
また、固定手段として、振動出力装置の上部と防水容器との間に押さえ部材を配置することで、防水容器の底面に密着させた状態で固定することができる。この際、押さえ部材が弾性体であれば、振動出力装置の振動を止めることなく、振動出力装置を防水容器内に固定することができる。
【００２１】
また、振動出力装置の一部に、振動出力装置を操作するための操作部が配置される場合において、防水容器の操作部に対応する部位が、弾性部材で形成されれば、防水容器の外部から、容易に操作部を操作することができる。この際、操作部に対応する部位の弾性部材と、押さえ部材としての弾性体とを一体で形成することもできる。
【００２２】
また、防水容器の下面であって、振動体と異なる位置に脚部が形成されれば、脚部によって、防水容器の設置面と防水容器の下面との間に隙間を形成することができる。すなわち、設置面と防水容器とが直接接触しないようにすることができる。このため、防水容器と設置面との間のビビリ音等の発生を抑制することができる。なお、この場合でも、防水容器の設置面と防水容器の下面との間には空気層が存在せず、水で充填されているため、振動の減衰が小さく、設置面を含む対象物に効率よく振動を伝えることができる。
【発明の効果】
【００２３】
本発明によれば、水中で気軽に利用することが可能な振動出力システムを提供することができる。
【図面の簡単な説明】
【００２４】
【図１】振動出力システム１の断面概略図。
【図２】振動出力システム１の使用状態を示す概略図。
【図３】（ａ）は振動出力システム１ａの断面概略図、（ｂ）は振動出力システム１ａの平面概略図。
【図４】振動出力システム１ｂの断面概略図。
【図５】（ａ）は振動出力システム１ｃの気中での使用状態を示す断面概略図、（ｂ）は振動出力システム１ｃの水中での使用状態を示す断面概略図。
【発明を実施するための形態】
【００２５】
以下、図面を参照しながら、本発明の実施形態について説明する。図１は、振動出力システム１の断面概略図である。振動出力システム１は、主に、振動出力装置３と、防水容器１１等から構成される。
【００２６】
防水容器１１は、上蓋１５と下蓋１７とからなり、開閉可能である。上蓋１５と下蓋１７との間には、シール部材１３が配置され、図示を省略したバックル等で固定することで、上蓋１５と下蓋１７との隙間からの水の浸入を防止することができる。すなわち、防水容器１１は、防水構造を有する。防水容器１１の材質は特に限定されないが、例えば、ある程度の剛性を有する硬質樹脂を適用することができる。
【００２７】
振動出力装置３の下方には、振動体５が露出する。振動出力装置３は、音響電気信号などの電気信号を振動に変換して振動体５を振動させる。すなわち、振動出力装置３は、振動体５を用いて振動を出力することが可能な、いわゆる振動スピーカである。
【００２８】
振動出力装置３は、防水容器１１の内部に収容される。この際、振動体５は、防水容器１１の底面に、シリコンゲルなどの粘着剤７によって密着する。すなわち、粘着剤７は、振動体５を防水容器１１の底面に密着させて、振動出力装置３を防水容器１１に固定する固定手段として機能する。
【００２９】
また、振動出力装置３の上部と、防水容器１１の上蓋１５の下面との間には、押さえ部材９が設けられる。押さえ部材９は、振動出力装置３を上方から押さえる。すなわち、押さえ部材９は、振動体５を防水容器１１の底面に密着させて、振動出力装置３を防水容器１１に固定する固定手段として機能する。
【００３０】
なお、押さえ部材９としては、ゴムやスポンジなどの弾性体であることが望ましい。押さえ部材９を弾性体で構成することで、振動出力装置３を上方から押さえつけた際に、振動体５の振動が許容され、振動体５の振動の妨げとなることがない。
【００３１】
本実施形態では、振動体５を防水容器１１の底面に密着させて、振動出力装置３を防水容器１１に固定するための固定手段として、粘着剤７と押さえ部材９を併用する例を示すが、固定手段としては、いずれか一方であってもよい。また、他の固定手段によって、振動体５を防水容器１１の底面に密着させて、振動出力装置３を防水容器１１に固定してもよい。また、固定手段としては、振動出力装置３に設けてもよく、防水容器１１に設けてもよい。
【００３２】
なお、振動出力装置３は、防水容器１１に対して着脱可能とすることができる。このようにすることで、気中では、振動出力装置３を防水容器１１から取り出して使用することができる。
【００３３】
次に、振動出力システム１の使用方法について説明する。図２は、振動出力システム１の使用状態を示す概略図である。振動出力システム１は、例えば、浴槽２１で用いられる。なお、振動出力システム１は、浴槽２１以外でも、水槽やプールなどの水中において使用可能である。
【００３４】
振動出力システム１は、浴槽２１の底に沈められて使用される。すなわち、振動出力システム１（振動出力装置３が収容された防水容器１１）は、全体として比重が１を超える。また、振動出力システム１は、振動体５が下方になるように、浴槽２１の底に沈められる。すなわち、防水容器１１の下面が浴槽２１に接触する。
【００３５】
本実施形態では、浴槽２１の外部に、端末１９が配置される。端末１９は、例えば音楽再生端末や、携帯電話等であって、内部に、音楽データを記憶する記憶部と、例えばＢｌｕｅｔｏｏｔｈ（登録商標）などの近距離無線通信を行うための通信部を内蔵し、必要に応じて防水構造を有するものである。したがって、使用者は、端末１９を操作することで、音楽の選択等を行うことができる。
【００３６】
前述したように、振動出力システム１が浴槽２１の底に沈められた状態であれば、浴槽２１の底面を介して、振動出力システム１と端末１９との無線通信を行うことが可能である。すなわち、振動出力システム１の内部には、例えばＢｌｕｅｔｏｏｔｈ（登録商標）などの近距離無線通信を行うための通信部が内蔵される。なお、振動出力システム１自体に音楽データが記憶されている場合には、通信部は必ずしも必要ではない。
【００３７】
前述したように、振動体５の振動は、防水容器１１を介して、浴槽２１に伝達される。したがって、浴槽２１は。全体が振動してスピーカとなる。浴槽２１に伝わった振動の一部は、浴槽２１内の水（湯を含む）に伝わる。したがって、振動（音）が水中を伝播する。
【００３８】
なお、防水容器１１の下面であって、振動体５に対応する部位は平坦であることが望ましい。このようにすることで、振動体５の振動を効率よく浴槽２１に伝達することができる。また、防水容器１１の下面に、滑り止めを設けてもよい。このようにすることで、振動出力システム１が浴槽２１内で動くことが抑制される。
【００３９】
このように、浴槽２１内の水中に浸かっている使用者は、浴槽２１および周囲の水からの振動（音）を感じることができる。すなわち、耳からのみではなく体全体で音楽を楽しむことができる。
【００４０】
以上、第１の実施形態によれば、振動出力装置３を防水容器１１に収容した際に、振動出力装置３が防水容器１１内に固定されているため、防水容器１１内で振動出力装置３が動くことがない。また、振動体５を防水容器１１の底面に密着させることで、浴槽２１および浴槽２１内の水を効率よく振動させることができる。
【００４１】
また、振動出力システム１は比重が１を超えるため、浴槽２１内に沈めて、容易に浴槽２１の底面に設置することができる。このため、振動出力システム１を浴槽２１に固定する必要がなく、また、無線通信を利用することもできる。
【００４２】
また、従来のような空気振動を発するスピーカと異なり、振動体５によって浴槽２１の全体を振動させることができるため、使用者は、体全体で音楽を楽しむことができる。また、難聴者であっても、例えば浴槽２１に頭をつければ、浴槽２１が骨伝導スピーカとして機能し、音楽を聴くことも可能である。
【００４３】
次に、第２の実施形態について説明する。図３（ａ）は、振動出力システム１ａの断面概略図であり、図３（ｂ）は、振動出力システム１ａの平面概略図である。なお、以下の説明において、振動出力システム１と同一の機能を奏する構成については、図１と同一の符号を付し、重複する説明を省略する。
【００４４】
振動出力システム１ａは、振動出力システム１とほぼ同様の構成であるが、振動出力装置３の上部に、振動出力装置３を操作するための操作部２５が配置される点で異なる。操作部２５は、例えば、振動出力装置３のボリュームやオン／オフの切り替えなどを行うボタンである。
【００４５】
前述したように、防水容器１１は、例えば硬質樹脂で形成されるが、操作部２５に対応する部位は弾性部材２３で構成される。弾性部材２３は、周囲の樹脂よりも軟質な、例えば熱可塑性エラストマーやゴム等の軟質樹脂である。操作部２５に対応する部位の弾性部材２３を押圧することで、防水容器１１の外側から操作部２５を操作することができる。なお、弾性部材２３が透明であれば、操作部２５を容易に視認することができる。また、弾性部材２３は透明でなくてもよく、この場合には、弾性部材２３の外面に操作部２５の位置を示すマークを形成してもよい。
【００４６】
また、本実施形態では、弾性部材２３が、振動出力装置３を上方から押さえる押さえ部材としても機能を有している。すなわち、弾性部材２３と、前述した押さえ部材９（図１参照）を構成する弾性体とが一体で構成される。このように、振動出力装置３の上部に操作部２５が配置される場合には、弾性部材２３を押さえ部材９として機能させることもできる。
【００４７】
なお、操作部２５に対応する部位を弾性部材２３で構成し、操作部２５以外の部位に、押さえ部材９を別体で配置してもよい。また、操作部２５は、振動出力装置３の上部に配置されなくてもよい。例えば、操作部２５が振動出力装置３の側面に配置される場合には、弾性部材２３は、操作部２５に対応した防水容器１１の側面に配置すればよい。
【００４８】
第２の実施形態によれば、第１の実施形態と同様の効果を得ることができる。また、振動出力装置３に操作部２５が設けられ、防水容器１１の操作部２５に対応する部位を弾性部材２３で構成することで、防水容器１１の外部から振動出力装置３を操作することができる。
【００４９】
次に、第３の実施形態について説明する。図４は、振動出力システム１ｂの使用状態における断面概略図である。振動出力システム１ｂは、振動出力システム１とほぼ同様の構成であるが、防水容器１１の下面に突起状の脚部２７が形成される点で異なる。
【００５０】
脚部２７は、防水容器１１の下面に突出し、振動体５と異なる位置の３カ所以上に形成される。したがって、振動出力システム１ｂを浴槽２１に沈めると、脚部２７によって、防水容器１１の設置面である浴槽２１の表面と、防水容器１１の下面との間に隙間が形成される。すなわち、前述した振動出力システム１では、振動体５に対応する防水容器１１の下面と浴槽２１とが略面接触させたが、本実施形態の振動出力システム１ｂでは、振動体５に対応する防水容器１１の下面は、浴槽２１とは接触しない。
【００５１】
前述したように、振動出力システム１は、全体として比重が１を超えるため、水中に沈む。しかし、振動出力システム１には浮力が働くため、自重による振動出力システム１と浴槽２１との接触部における押圧力は気中と比べて小さくなる。このため、防水容器１１の底面の振動を浴槽２１の接地面が吸収することができずに、振動体５の振動によって、浴槽２１と防水容器１１との間が細かく接触と非接触とを繰り返す、いわゆるビビリ音が発生するおそれがある。
【００５２】
これに対し、振動出力システム１ｂは、浴槽２１と防水容器１１との間に隙間が形成されているため、両者が接触することがなく、いわゆるビビリ音の発生を抑制することができる。
【００５３】
なお、通常、振動体によって対象物を振動させるような、いわゆる振動スピーカは、対象物と接触して密着していることで、効率よく振動を伝えることができる。このため、振動体と対象物との間に隙間をあけることは望ましくない。一方、振動出力システム１ｂにおいては、振動体５は防水容器１１と密着しており、防水容器１１と浴槽２１の表面との間には、隙間は生じているものの、空気層は存在せず、水が充填され、水の膜が形成される。このため、空気層と比較して振動の減衰が小さく、多少の隙間であれば、振動体５の振動を浴槽２１へ効率よく伝達することができる。
【００５４】
第３の実施形態によれば、第１の実施形態等と同様の効果を得ることができる。また、防水容器１１の下面であって、振動体５と異なる位置に脚部２７を設けることで、対象物と防水容器１１との間の、いわゆるビビリ音の発生を抑制することができる。
【００５５】
なお、振動出力システム１ｂのように、脚部２７は、防水容器１１（下蓋１７）と一体または別体で、硬質樹脂等の硬い材質で構成してもよいが、柔軟な材質や、弾性部材を用いてもよい。図５（ａ）は振動出力システム１ｃの気中での使用状態を示す断面概略図であり、図５（ｂ）は振動出力システム１ｃの水中での使用状態を示す断面概略図である。
【００５６】
振動出力システム１ｃは、防水容器１１の下面であって、振動体５とは異なる位置に、脚部２７ａが設けられる。脚部２７ａは弾性体であって、例えば、図示したようなばねであってもよく、ゴムやスポンジなどであってもよい。
【００５７】
図５（ａ）に示すように、気中において振動出力システム１ｃを設置面２１ａに載置すると、弾性部材である脚部２７ａは、自重によって潰れて、防水容器１１の下面が設置面２１ａと接触する。このため、振動体５の振動を、空気層を介さずに設置面２１ａに伝達させることができる。すなわち、この場合には、設置面２１ａの全体をスピーカとして機能させることができる。
【００５８】
一方、図５（ｂ）に示すように、水中において振動出力システム１ｃを浴槽２１に載置すると、弾性部材である脚部２７ａは、自重によって潰れるものの、浮力によって、その潰れ量は、気中の場合よりも小さくなる。このため、防水容器１１の下面と浴槽２１との間に隙間を形成することができる。
【００５９】
このように、脚部２７ａを構成する弾性部材の圧縮弾性率を、気中においては、振動出力システム１ｃの質量を支持することができずに、防水容器１１の下面が設置面２１ａに接触するまで潰れ、水中では、振動出力システム１ｃを支持することが可能であるように設定することで、気中でも水中でも適切な条件で使用することができる。
【００６０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６１】
例えば、各実施形態における各構成は、互いに組み合わせることができることは言うまでもない。
【符号の説明】
【００６２】
１、１ａ、１ｂ、１ｃ………振動出力システム
３………振動出力装置
５………振動体
７………粘着剤
９………押さえ部材
１１………防水容器
１３………シール部材
１５………上蓋
１７………下蓋
１９………端末
２１………浴槽
２１ａ………設置面
２３………弾性部材
２５………操作部
２７、２７ａ………脚部
【図１】
2019193012.tif 000003
【図２】
2019193012.tif 000004
【図３】
2019193012.tif 000005
【図４】
2019193012.tif 000006
【図５】
2019193012.tif 000007